(57)【要約】【課題】ディスクの記録密度の過密化によりフレーム同期コード信号のシンボルが時間的にずれる程度を考慮して、フレーム同期コード信号を確実に検出するディスク装置を提供。【解決手段】複数フレームを有するディスクを読んで、読取信号を出力する読取部１１，１２，１３と、読取信号の一部がフレーム同期コード信号と同一であると判定するか、又は、読取信号の一部のシンボルとフレーム同期コード信号のシンボルとのずれが一定時間の範囲内に含まれると判定することで、読取信号からフレーム同期コード信号を検出する検出部１４，２０と、検出したフレーム同期コード信号に同期して読み取った読取信号を再生する再生部１５，１６，１７とをもつディスク装置。【選択図】      図１
2005149673.tif 000002
【特許請求の範囲】
【請求項１】
フレーム同期コードとメインデータとを格納するディスクを読んで、読取信号を出力する読取部と、
前記読取信号の一部がフレーム同期コード信号と同一であると判定するか、又は、前記読取信号の一部のシンボルと前記フレーム同期コード信号のシンボルとのずれが一定時間の範囲内に含まれると判定することで、前記読取信号から前記フレーム同期コード信号を検出する検出部と、
前記検出部が検出した前記フレーム同期コード信号に同期して、前記読取部が読み取った読取信号を再生する再生部とを具備することを特徴とするディスク装置。
【請求項２】
前記検出部は、前記読取信号のシンボルと、正規のフレーム同期コード信号のシンボルとのずれが一定時間の範囲内に含まれ、かつ、前記読取信号のシンボルと正規のフレーム同期コード信号のシンボルとでシンボルの位置が異なるシンボルの数が、一定値内に含まれるかどうかを判定することを特徴とする請求項１記載のディスク装置。
【請求項３】
前記検出部は、正規のフレーム同期コード信号のシンボルと、このシンボルに対して一定の時間的ずれのあるシンボルとを各々用意して、これらのシンボルの一つと、前記読取信号のシンボルとが一致するかどうかを判定することを特徴とする請求項１記載のディスク装置。
【請求項４】
前記検出部は、正規のフレーム同期コード信号のシンボルと、このシンボルよりも１シンボル分の時間的ずれのあるシンボルとを用意して、これらのシンボルの一つと、前記読取信号のシンボルとが一致するかどうかを判定することを特徴とする請求項１記載のディスク装置。
【請求項５】
前記検出部は、正規のフレーム同期コード信号のシンボルと、このシンボルよりも１シンボル及び２シンボル分の時間的ずれのあるシンボルとを用意して、これらのシンボルの一つと、前記読取信号のシンボルとが一致するかどうかを判定することを特徴とする請求項１記載のディスク装置。
【請求項６】
前記検出部は初めに前記一定時間をゼロと設定しておき、前記読取信号から前記フレーム同期コード信号を検出する検出率が所定値以下であるとき、前記一定時間の範囲をゼロよりも大きな値に拡大した上で、前記読取信号のシンボルと正規のフレーム同期コード信号のシンボルとの時間的なずれが、前記拡大された時間の範囲内に含まれるかどうかを判定することを特徴とする請求項１記載のディスク装置。
【請求項７】
前記検出部が前記読取信号から前記フレーム同期コード信号を検出する検出率が所定値以下であるとき、前記一定時間の範囲を更に大きな値に拡大した上で、前記読取信号のシンボルと正規のフレーム同期コード信号のシンボルとの時間的なずれが、前記拡大された時間の範囲内に含まれるかどうかを判定することを特徴とする請求項１記載のディスク装置。
【請求項８】
前記検出部が前記読取信号から前記フレーム同期コード信号を検出する検出率が所定値以下であるとき、前記ディスクのコントロールデータに格納された情報に基づいて決定した値へと前記一定時間を拡大した上で、前記読取信号のシンボルと正規のフレーム同期コード信号のシンボルとの時間的なずれが、前記拡大された時間の範囲内に含まれるかどうかを判定することを特徴とする請求項１記載のディスク装置。
【請求項９】
前記検出部は、前記一定時間を、前記ディスクのコントロールデータに格納された情報に基づいて決定した値へと拡大した上で、前記読取信号のシンボルと正規のフレーム同期コード信号のシンボルとの時間的なずれが、前記拡大された時間の範囲内に含まれるかどうかを判定することを特徴とする請求項１記載のディスク装置。
【請求項１０】
前記検出部は、前記ディスクのコントロールデータの物理フォーマットであるディスクタイプ、ヴァージョン、ディスクのサイズ、層数、トラックパスの方向、ＲＯＭ，ＲＡＭ，Ｒの領域の有無、記録線密度、トラック密度、スタートセクタ番号、エンドセクタ番号、ＢＣＡの有無の少なくとも一つに基づいて、前記一定時間を決定することを特徴とする請求項１記載のディスク装置。
【請求項１１】
フレーム同期コードとメインデータとを格納するディスクから読取信号を読み取り、
前記読取信号の一部がフレーム同期コード信号と同一であると判定するか、又は、前記読取信号の一部のシンボルと前記フレーム同期コード信号のシンボルとのずれが一定時間の範囲内に含まれると判定することで、前記読取信号から前記フレーム同期コード信号を検出し、
前記検出した前記フレーム同期コード信号に同期して、前記読取信号を再生することを特徴とするディスク再生方法。
【請求項１２】
前記読取信号のシンボルと、正規のフレーム同期コード信号のシンボルとのずれが一定時間の範囲内に含まれ、かつ、前記読取信号のシンボルと正規のフレーム同期コード信号のシンボルとでシンボルの位置が異なるシンボルの数が、一定値内に含まれるかどうかを判定することを特徴とする請求項１１記載のディスク再生方法。
【請求項１３】
正規のフレーム同期コード信号のシンボルと、このシンボルに対して一定の時間的ずれのあるシンボルとを各々用意して、これらのシンボルの一つと、前記読取信号のシンボルとが一致するかどうかを判定することを特徴とする請求項１１記載のディスク再生方法。
【請求項１４】
正規のフレーム同期コード信号のシンボルと、このシンボルよりも１シンボル分の時間的ずれのあるシンボルとを用意して、これらのシンボルの一つと、前記読取信号のシンボルとが一致するかどうかを判定することを特徴とする請求項１１記載のディスク再生方法。
【請求項１５】
正規のフレーム同期コード信号のシンボルと、このシンボルよりも１シンボル及び２シンボル分の時間的ずれのあるシンボルとを用意して、これらのシンボルの一つと、前記読取信号のシンボルとが一致するかどうかを判定することを特徴とする請求項１１記載のディスク再生方法。
【請求項１６】
初めに前記一定時間をゼロと設定しておき、前記読取信号から前記フレーム同期コード信号を検出する検出率が所定値以下であるとき、前記一定時間の範囲をゼロよりも大きな値に拡大した上で、前記読取信号のシンボルと正規のフレーム同期コード信号のシンボルとの時間的なずれが、前記拡大された時間の範囲内に含まれるかどうかを判定することを特徴とする請求項１１記載のディスク再生方法。
【請求項１７】
前記読取信号から前記フレーム同期コード信号を検出する検出率が所定値以下であるとき、前記一定時間の範囲を更に大きな値に拡大した上で、前記読取信号のシンボルと正規のフレーム同期コード信号のシンボルとの時間的なずれが、前記拡大された時間の範囲内に含まれるかどうかを判定することを特徴とする請求項１１記載のディスク再生方法。
【請求項１８】
前記読取信号から前記フレーム同期コード信号を検出する検出率が所定値以下であるとき、前記ディスクのコントロールデータに格納された情報に基づいて決定した値へと前記一定時間を拡大した上で、前記読取信号のシンボルと正規のフレーム同期コード信号のシンボルとの時間的なずれが、前記拡大された時間の範囲内に含まれるかどうかを判定することを特徴とする請求項１１記載のディスク再生方法。
【請求項１９】
前記一定時間を、前記ディスクのコントロールデータに格納された情報に基づいて決定した値へと拡大した上で、前記読取信号のシンボルと正規のフレーム同期コード信号のシンボルとの時間的なずれが、前記拡大された時間の範囲内に含まれるかどうかを判定することを特徴とする請求項１１記載のディスク再生方法。
【請求項２０】
前記ディスクのコントロールデータの物理フォーマットであるディスクタイプ、ヴァージョン、ディスクのサイズ、層数、トラックパスの方向、ＲＯＭ，ＲＡＭ，Ｒの領域の有無、記録線密度、トラック密度、スタートセクタ番号、エンドセクタ番号、ＢＣＡの有無の少なくとも一つに基づいて、前記一定時間を決定することを特徴とする請求項１１記載のディスク再生方法。
【発明の詳細な説明】
【技術分野】
【０００１】
ディスク装置であって、特に、フレーム同期コード信号を検出しこれに同期して再生処理を行うディスク装置及びディスク再生方法に関する。
【背景技術】
【０００２】
周知のように現在では、デジタルデータの情報媒体として光ディスクが非常に普及しているが、これらの光ディスク等の情報媒体においては、データは誤り訂正符号やデータ識別用のＩＤが付加されたうえ、所定の単位のブロック（セクタ）に分けられて記録されている。ここで、セクタ内は更にフレームに分割されているが、各フレームにはフレームに同期をとるためのフレーム同期コード信号が挿入されている。
【０００３】
従って、光ディスク装置等の再生処理においては、記録媒体からの読取信号から同期信号を検出する。そして、同期信号の位置を起点としてデータのシンボル単位の分割及び復調、並びに同期信号からの順番情報によってデータブロックの配置情報を得て、誤り訂正処理等を行い、再生信号を復元する。このように、データを再生するためには同期信号が正しく検出されることが前提となるため、同期信号を確実に検出することが重要となる。
【０００４】
特許文献１には、光ディスク装置に用いられる同期信号検出回路が示され、ここでは、ハミング距離を計算に用いて設定したハミング距離内であれば、読取信号を同期信号として検出する提案がなされている。この方法によれば、正常なパターンと異なるパターンについても同期信号として認識することができる。
【特許文献１】特開平９−９８３７１号公報
【発明の開示】
【発明が解決しようとする課題】
【０００５】
しかし、この従来技術においては、読取信号と正規のコード信号との一致について、一定のシンボルの不一致を時間的な制約もなく許容することで判断しているため、明らかに同期信号とは関係のない信号が同期信号として誤検出されることが生じてくる。従って、正確なフレーム同期コード信号が得られず、再生処理の際の同期がとれなくなることがあり再生処理が滞るという問題がある。
【０００６】
本発明は、ディスクの記録密度の過密化によりフレーム同期コード信号のシンボルが時間的にずれる程度を考慮して、フレーム同期コード信号を確実に検出するディスク装置及びディスク再生方法を提供することを目的とする。
【課題を解決するための手段】
【０００７】
本発明に係るディスク装置は、フレーム同期コードとメインデータとを格納するディスクを読んで、読取信号を出力する読取部と、前記読取信号の一部がフレーム同期コード信号と同一であると判定するか、又は、前記読取信号の一部のシンボルと前記フレーム同期コード信号のシンボルとのずれが一定時間の範囲内に含まれると判定することで、前記読取信号から前記フレーム同期コード信号を検出する検出部と、前記検出部が検出した前記フレーム同期コード信号に同期して、前記読取部が読み取った読取信号を再生する再生部とを具備することを特徴とするディスク装置である。
【０００８】
又、本発明に係るディスク再生方法は、フレーム同期コードとメインデータとを格納するディスクから読取信号を読み取り、前記読取信号の一部がフレーム同期コード信号と同一であると判定するか、又は、前記読取信号の一部のシンボルと前記フレーム同期コード信号のシンボルとのずれが一定時間の範囲内に含まれると判定することで、前記読取信号から前記フレーム同期コード信号を検出し、前記検出した前記フレーム同期コード信号に同期して、前記読取信号を再生することを特徴とするディスク再生方法である。
【発明の効果】
【０００９】
上記したディスク装置及びディスク再生方法において、ディスクの過密度が増してくると、読取信号中のフレーム同期コード信号のシンボル“１”等は、正規のフレーム同期コード信号のシンボル“１”に対して時間的ずれを生じてくる。例えば、フレーム同期コード信号のシンボル“１”の一例として、１３Ｔ３Ｔパターンにおける一つ目のシンボル“１”が、一つ前のシンボルとして検出されたり、一つ後のシンボルとして検出されたりする。
【００１０】
ここで上述した特許文献１の従来技術によっても、このずれをもった読取信号を、ハミング距離内のものとして、フレーム同期コード信号として検出することができる。しかしながら、特許文献１の従来技術によれば、単に、正規のフレーム同期コード信号と、検出された読取信号との一致度を計測するものであるため、全くフレーム同期コード信号とは関係のない記録信号（図３のＰ２，Ｐ３）であるが、偶然、フレーム同期コード信号とハミング距離内において同等のものとなってしまった記録信号をも、正規のフレーム同期コード信号であると誤認識してしまう。
【００１１】
一方、本発明に係るディスク装置のフレーム同期コード信号の検出処理においては、シンボル位置のずれを一定範囲（例えば１シンボルのみ）しか認めていないため、通常の記録データが間違えてフレーム同期コード信号であると誤認識してしまう確率は限りなく少ないものである。従って、特許文献１の従来技術のように、通常の記録データとフレーム同期コード信号とを誤認識することなく、ディスクの過密度により、１シンボル分だけシンボル位置がずれた等のフレーム同期コード信号だけを確実に検出することができるので、安定したフレーム同期コード信号の検出により、信頼性の高い再生処理を可能とするものである。
【発明を実施するための最良の形態】
【００１２】
以下、この発明の実施の形態について図面を参照して詳細に説明する。図１は、本発明に係る光ディスク装置の構成の一例を示すブロック図、図２は、本発明に係る光ディスク装置の同期検出部の構成の一例を示すブロック図、図３は、本発明に係る光ディスク装置の同期検出部のパターン一致回路の動作を示す真理値表の一例を示す図、図４は、本発明に係る光ディスク装置の同期検出部のパターン一致回路の動作を示す真理値表の他の一例を示す図、図５は、本発明に係る光ディスク装置が扱う高密度光ディスクのセクタの構造の一例を示す図、図６は、本発明に係る光ディスク装置で用いられる同期コードの一例を示す図、図７は、本発明に係る光ディスク装置で用いられる同期コードに含まれる最長パターンの波形が変形を受け異なるパターンとして認識される様子を示した図、図８は、本発明に係る光ディスク装置が扱う高密度光ディスクにて、特に誤りやすいパターンの一例を示す図、図９は、本発明に係る光ディスク装置が扱う高密度光ディスクにて、特に誤りやすいパターンの他の一例を示す図、図１０は、本発明に係る光ディスク装置が扱う高密度光ディスクにて、特に誤りやすいパターンの他の一例を示す図、図１１は、本発明に係る光ディスク装置の同期検出部の基準値の決定動作の一例を示すフローチャート、図１２は、本発明に係る光ディスク装置の同期検出部の基準値の決定動作の一例を示すフローチャート、図１３は、本発明に係る光ディスク装置の同期検出部の基準値の決定動作に用いられるコントロールデータ領域の情報を示す説明図である。
【００１３】
＜本発明に係る光ディスク装置＞
（構造）
本発明に係る光ディスク装置Ａは、図１において、光ディスクＤを保持して所定回転数で回転するスピンドルモータＭと、この光ディスクＤへレーザ光を照射し反射光を受光して読取信号を供給するピックアップヘッド１１と、ピックアップヘッド１１からの読取信号を受けて２値化信号に復号する２値復号部１２と、この２値化信号の符号が反転する位置を検出する符号反転位置検出部１３とを有している。又、更に、光ディスク装置Ａは、本発明の特徴であるずれ量を含む同期検出部１４と、これに接続されるＥＴＭ復調部１５とを有しており、基準データを格納する記憶領域である基準データ部２０を有している。更に、光ディスク装置Ａは、ＥＴＭ復調部１５からの復調された出力信号を受けて、信号のエラー訂正処理を行うＥＣＣ（Error Correction Code）回路１６と、エラー訂正がなされた信号についてＭＰＥＧ（Moving Picture Experts Group）復号を行い、又は、記録処理の際に与えられた信号にＭＰＥＧ暗号化するＭＰＥＧエンコーダ・デコーダ１７と、これに接続して外部機器との信号の仲介を行いインタフェース部１８とを有する。又、光ディスク装置Ａは、ＥＣＣ処理部１６に接続され、記録処理の際に記録される信号に変調処理を施す変調部１９を行う変調部１９を有する。
【００１４】
又、更に、光ディスク装置Ａは、全体の制御動作を行うシステム制御部２４と、これに接続されるＲＯＭ２２及びＲＡＭ２３を有しており、更に、スピンドルモータＭの回転数やピックアップヘッド１１の動作を制御するサーボ制御部２１に接続されている。
【００１５】
（動作）
次に、上述した本発明に係る光ディスク装置Ａの動作について説明する。本発明に係る光ディスク装置Ａは、例えば、ＤＶＤ（Digital Versatile Disc）等の光ディスクが装着され、格納されている記録情報を再生し、又、ＤＶＤ−ＲＡＭ（Random Access Memory）等の記録媒体に所望の映像情報等を記録させる光ディスク装置を一例にとって、以下に動作を詳細に説明する。しかしながら、本発明の特徴である、ずれ量を含む同期検出部１４の働きは、光ディスクの再生処理に関するものであり、光ディスク再生専用装置に対しても有効なものである。
【００１６】
本発明に係る光ディスク装置Ａの再生処理について、その動作を説明する。ＤＶＤ等の光ディスクＤが所定の回転速度でスピンドルモータＭにより回転を与えられ、ピックアップヘッド１１からのレーザ光を受け、この反射光をピックアップヘッド１１で受けると、ピックアップヘッド１１は反射光に応じた読取信号を２値復号部１２に供給する。２値復号部１２からの２値信号は、符号反転位置検出部１３に供給されて符号反転位置信号がＥＴＭ復調部１５に供給される。
【００１７】
又、２値復号部１２からの２値信号はずれ量を含む同期検出部１４にも供給され、ずれ量を含む同期検出部１４は、基準データ部２０からの基準データを参考にしながら、２値信号からフレーム同期コード信号を検出してＥＴＭ復調部１５に供給する。ＥＴＭ復調部１５では、供給されたフレーム同期コード信号に応じて読取信号のフレーム位置を認識し、読取信号の復調処理を行い、復調信号をＥＣＣ処理部１６へと供給する。ＥＣＣ処理部１６では、復調信号のエラー信号を検出しこれを修復して、ＭＥＰＧデコーダ部１７へと供給する。ＭＰＥＧデコーダ１７では、復調信号をデコードして再生することができる映像信号として、インタフェース部１８を介して外部の例えばモニター装置へと出力される。
【００１８】
（本発明に係るずれ量を含む同期検出部）
ここで、上述したずれ量を含む同期検出部１４の働きについて、以下に図面を用いて詳細に説明する。本発明に係る、ずれ量を含む同期検出部１４は、タイミングが例えば１シンボル分ずれたフレーム同期コード信号をも確実に検出するものであり、以下に示す構造及び動作を有するものである。これにより、従来の例えばハミング距離を用いた同期検出により、フレーム同期コード信号とは関係のない通常の記録信号が誤検出されるということがなくなり、正常なフレーム同期コード信号と一定のずれが生じたフレーム同期コード信号とだけを確実に検出することができる。
【００１９】
すなわち、本発明に係るずれを量を含む同期検出部１４は、例えば、図２に示す構造を有しており、基準データを記憶領域に格納した基準データ部２０に接続されており、ずれ量を含む一致判定部３１とシフトレジスタ３２とを有している。更に、シフトレジスタ３２には、２値復号部１２からの読取信号が供給され、更に、システムクロック信号が供給される。そして、後述する動作に応じて読取信号からフレーム同期コード信号Ｃを確実に検出して、例えば、ＥＴＭ復調部１５に供給するものである。
【００２０】
（パターンフレーム同期コード信号）
次に、本発明に係るずれ量を含む同期検出部が検出しようとするパターンフレーム同期コード信号について、説明する。一般にＤＶＤ等に代表される光ディスクは、円形の記録媒体上にらせん状のトラックを形成し、このトラック上にデータを記録している。各トラックのデータは複数の予め定められた単位のデータ（セクタ）で構成される。各セクタの記録データは、予め定めたデータ毎（フレーム）に更に分割されている。フレームはデータの同期をとるための同期コードと （ｄ，ｋ；ｍ，ｎ）変調規則で変調したメインデータとで構成される。
【００２１】
図５は、高密度光ディスクに用いられるセクタの構造を示す。１フレームは２４ビットの同期コードと１０９２ビットのメインデータで構成され、２６フレームで１セクタを構成する。各フレームにはＳＹ０からＳＹ３の４種類の同期コードが付加されている。同期コードを検出することによりフレームの区切りを抽出するとともに、連続する１から３個のフレームに含まれるＳＹ０からＳＹ３を識別することによりセクタ内でのフレーム番号を抽出する。このために同期コードにはメインデータの部分には現れないユニークなパターンと、シンク種類を識別する部分が含まれる。
【００２２】
図６は、高密度光ディスクに用いられる同期コードの例を示すものである。各同期コードは２４ビットで構成され、先頭７ビットが同期コードの種類を特定するためのパターンに割り当てられ、残りの１７ビットが共通するユニークなパターンに割り当てられる。ＳＹ０、ＳＹ１、ＳＹ２、ＳＹ３のそれぞれに２種類の同期コードが存在し、変調規則に従い直前のデータが示すStateによりどちらかが選択される。同期コード中の"＃"は信号全体のＤＳＶ(Digital Sum Value)を調整するために任意に選ばれるビットである。
【００２３】
これらの同期コードのパターンは共通部分として"１００００００００００００１００１"のユニークパターンを含んでいる。このパターンをシンボル”１”とシンボル”１”の間隔で表した際は、１３Ｔ３Ｔパターンとも言われる。ここでＴは１シンボルの長さを表す単位である。実際に記録媒体に記録する際には、シンボル”１”の位置で記録ビットを反転させる。
【００２４】
（パターンフレーム同期コード信号の変形）
次に、本発明に係るずれ量を含む同期検出部が検出しようとする変形したパターンフレーム同期コード信号について図面を用いて説明する。次世代のＤＶＤで更に記録密度を向上させる方法として、ｄ＝１の変調方式に変更するとともに、例えば、２値復号部１２に、ＰＲＭＬ(Pertial Responce Maximum Likelihood)を利用する方法がある。かかる方法を採用した場合、アシンメトリーが大きなとき、波形等化が不足したとき、又は、ＤＣオフセットが残存しているときのように、再生状態が良好でないときには、同期コードに含まれる最長パターンの前後において、再生パターンに変形が生じることがある。
【００２５】
図７は、同期コードに含まれる最長パターンの波形が変形を受け異なるパターンとして認識される様子を示したものである。入力波形はビタビ復号器を通して２値のＮＲＺI符号となる（ビタビデコーダの出力）。更に反転位置をシンボル“１”としたＮＲＺ符号に変換される（ＮＲＺ変換後のパターン）。“１００１”のような短いパターンはもともと振幅が小さく、長いパターンの影響を受けて波形が変化しやすい。
【００２６】
又、図８乃至図１０には、高密度光ディスクにおいて特に誤りやすいパターンの例を示す。図８は、図６におけるＳＹ３のState１の同期コードについて“＃”を０とした場合の同期コード前後の信号波形、ビタビデコーダの出力、ＮＲＺ変換後のパターンを示したものである。信号波形については、ＰＲ(１,２,２,２,１)を用いた場合を仮定している。
【００２７】
高密度光ディスクの特徴として２Ｔ、３Ｔ等の短いパターンは振幅が非常に小さくなる。このため、短いパターンの前後に長いパターンが配置されると短いパターンは長いパターンの極性に引きずられやすい傾向を持つ。特に同期コードが含む１３Ｔの前後においてこの傾向は顕著となる。同容に、図９には、１３Ｔ後ろ側の短いパターンが潰れて１４Ｔ２Ｔとなった例、図１０には、１３Ｔ前側の短いパターンが潰れて１４Ｔ３Ｔとなった例を示す。
【００２８】
（検出動作）
本発明に係るずれ量を含む同期検出部１４の、フレーム同期コード信号Ｃの検出動作について、図面を用いて詳述する。
【００２９】
以下では、ユニークなパターンとして“１００００００００００００１００１”を用いた例を示す。ずれ量を含む同期検出部１４は、図２において、シフトレジスタ３３は、読取信号である入力シリアル信号を、クロック毎に１ビットシフトさせ、パラレルデータｂ０〜ｂ１８を出力する。ここでは、シフトレジスタを２ビット拡張し１９ビットのパラレルデータを出力している。
【００３０】
ずれ量を含む一致判定部３１は、パラレルデータｂ０〜ｂ１８と、基準データ部２０から供給される同期コードパターンとを比較し、同期コードと認識されたタイミングにて同期信号検出出力Ｃを“１”にする。ここでは、パターン検出回路の前後に１ビットずつ拡張し、１９ビットの比較を行っている。
【００３１】
ここで、パターン一致回路の動作を示す真理値表の一例が図３に示される。図３において、検出しようとする正規の信号Ｐ１１が、フレーム同期コード信号である。これに対し、信号Ｐ１１は、完全に一致した例、
信号Ｐ１２は、第１番目のシンボル“１”が１シンボル分、タイミングが早まった例、
信号Ｐ１３は、第１番目のシンボル“１”が１シンボル分、タイミングが遅くなった例、
信号Ｐ１４は、第２番目のシンボル“１”が１シンボル分、タイミングが早まった例、
信号Ｐ１５は、第２番目のシンボル“１”が１シンボル分、タイミングが遅くなった例、
信号Ｐ１６は、第３番目のシンボル“１”が１シンボル分、タイミングが早まった例、
信号Ｐ１７は、第３番目のシンボル“１”が１シンボル分、タイミングが遅くなった例、
である。
【００３２】
これに対して、図３に示すように、同期信号検出出力Ｃは、それぞれ、“１”となっており、一致判定部３１の判定結果は、パターンフレーム同期コード信号が検出されたものとして出力されている。又、シンボルのずれ量と、シンボルの一致数について、
信号Ｐ１１は、ずれ量“０”、一致数“３”であり、
信号Ｐ１２は、ずれ量“１”、一致数“２”であり、
信号Ｐ１３は、ずれ量“１”、一致数“２”であり、
信号Ｐ１４は、ずれ量“１”、一致数“２”であり、
信号Ｐ１５は、ずれ量“１”、一致数“２”であり、
信号Ｐ１６は、ずれ量“１”、一致数“２”であり、
信号Ｐ１７は、ずれ量“１”、一致数“２”である。
【００３３】
上記以外の信号については、一致数“１”以下であり、同期信号検出出力Ｃは、“０”であって、読取信号は、フレーム同期コード信号と一致しないという判定結果が得られる。
【００３４】
又、参考までに従来技術である特許文献１のハミング距離を用いてパターンフレーム同期コード信号を検出する際は、図３の信号Ｐ１１〜Ｐ１７をパターンフレーム同期コード信号として検出する。ここで、図３に示す信号Ｐ２，Ｐ３のように、シンボルがｂ１３やｂ８に存在する信号、これは、フレーム同期コード信号が２値復号部１２の復号処理において、ずれが生じたものではなく、通常の記録信号がフレーム同期コード信号の信号配列に偶然似てしまったものであり、フレーム同期コード信号とは全く関係のない信号である。特許文献１の検出は、単にシンボルの不一致を許容するものであり、例えば、不一致のシンボルを１つ許容したり、２つ許容するものである。従って、信号Ｐ２、信号Ｐ３のようなフレーム同期コード信号とは全く関係のない信号をも、誤検出して、フレーム同期コード信号として出力するため、その後のＥＴＭ復調部１５等で復調処理に混乱をきたすものである。
【００３５】
一方、本発明に係るずれ量を含む同期検出部１４のフレーム同期コード信号Ｃの検出動作においては、正規のフレーム同期コード信号のシンボルと読取信号のシンボルの位置とのずれ量を考慮して、ずれ量を１シンボル等だけ許容したりするため、従来装置のように、記録信号が誤ってフレーム同期コード信号として誤判断されてしまうことがない。
【００３６】
（判定部３１の２つの形態）
本発明に係るずれ量を含む同期検出部１４である、ずれ量を含む一致判定部３１の形態として、少なくとも２つの形態が考えられる。
【００３７】
一つ目の形態は、ずれ量を含む一致判定部３１は、基準データ部２０から、例えば、図３の信号Ｐ１１乃至Ｐ１７を格納しておき、読取信号と、逐一、これらを比較する方法である。そして、読取信号と、信号Ｐ１１乃至Ｐ１７の中の一つの信号とが完全に一致する場合に、読取信号からフレーム同期コード信号が検出したものとして、ＥＴＭ復調部１５に同期信号検出出力Ｃを“１”として出力する場合である。
【００３８】
この場合は、基準データ部２０に格納しておく基準データとして、信号Ｐ１１乃至Ｐ１７だけではなく、３つのシンボルの一つのずれ量を２等にした信号をも増やしたり、又は、信号Ｐ１１乃至Ｐ１７を減らすことにより、ずれ量の許容範囲を変更することができる。又、変更の基準を明確にして後述する方法で基準の変更を自動化することも好適である。
【００３９】
二つ目の形態は、ずれ量を含む一致判定部３１は、基準データ部２０から、正規のフレーム同期コード信号である信号Ｐ１１だけを供給され、判定部３１において読取信号と信号Ｐ１１とだけを比較して、そのシンボルのずれ量とシンボルの一致数とを逐一求め、これを評価する方法である。すなわち、シンボルのずれ量を“１”とし、シンボルの一致数を“２以上”と定めれば、実質的に、読取信号が図３の信号Ｐ１１乃至信号Ｐ１７である場合をフレーム同期コード信号として判断することとなる。従って、読取信号と正規のフレーム同期コード信号とのずれ量の判断機能・一致数の判断機能とによっても、判定部３１の働きを実現することができる。
【００４０】
又、他の判定部３１の形態として、図４に示す場合が可能である。すなわち、図４は、パターン一致回路の動作を示す真理値表を示しており、この真理値表の１行目は正常な同期コードの検出を示すものである。正常な同期コード内の３つの“１”のうちで、最長パターン前後のふたつのうちひとつの“１”について前後に１ずれたパターンについて同期コードとして同期信号検出出力Ｃを“１”としている。
【００４１】
この例では、特に変形の生じやすい最長パターンの前後にのみ注目してパターン一致回路を構成しており、図３に示した形態よりも回路規模は小さく、検出タイミングの１ビット遅れは生じないという特長を有する。
【００４２】
（ずれ量を変化させる場合）
更に、本発明に係る判定部３１において、フレーム同期コード信号の検出率に応じて、ずれ量を変化させる場合について、図１１のフローチャートを用いて説明する。図１１のフローチャートにおいて、ずれ量を含む一致判定部３１の処理により、ずれ量を０とした基準データを用いて、読取信号からフレーム同期コード信号を検出する（Ｓ１１）。次に、フレーム同期コード信号の検出率を求めて（Ｓ１２）、フレーム同期コード信号の検出率が所定値（任意に設定）よりも低い場合は（Ｓ１３）、ずれ量を１とした基準データ（図３の信号Ｐ１２乃至Ｐ１７等）に基準データを変更して、フレーム同期コード信号を検出しなおす（Ｓ１４）。
【００４３】
更に、フレーム同期コード信号の検出率を求めて（Ｓ１５）、フレーム同期コード信号の検出率が所定値（任意に設定）よりも低い場合は（Ｓ１６）、ずれ量を２とした基準データに更に基準データを変更して、フレーム同期コード信号を検出しなおす（Ｓ１７）。このように、検出率の大きさに応じて、基準データのずれ量を変化させていくことで、フレーム同期コード信号の検出が容易なディスクについては、ずれ量をゼロ等、検出が難しいディスクについては、ずれ量を１又は２等に変化させていく。これにより、フレーム同期コード信号検出が容易なディスクは、誤判断を完全に排除することが可能となり、検出が困難なディスクも適宜検出を可能とするため、どのようなディスクに対しても安定した再生処理が可能となる。
【００４４】
又、図１２のフローチャートに示すように、ずれ量を含む一致判定部３１の処理により、ずれ量を０とした基準データを用いて、読取信号からフレーム同期コード信号を検出する（Ｓ２１）。次に、フレーム同期コード信号の検出率を求めて（Ｓ２２）、フレーム同期コード信号の検出率が所定値（任意に設定）よりも低い場合は（Ｓ２３）、図１３に示すように、コントロールデータ領域の、例えば、物理フォーマット情報、すなわち、ディスクタイプ、ヴァージョン、ディスクのサイズ、層数、トラックパスの方向、ＲＯＭ，ＲＡＭ，Ｒの領域の有無、記録線密度、トラック密度、スタートセクタ番号、エンドセクタ番号、ＢＣＡの有無の少なくとも一つに基づいて、基準データのずれ量を決定する。そして、決定した基準データを用いてフレーム同期コード信号を検出しなおす（Ｓ２４）。
【００４５】
このようにすることにより、光ディスクの物性に基づいた、最適のずれ量を設定することが可能となり、光ディスクの特性の応じた、安定したフレーム同期コード信号の検出とこれに基づく再生処理が可能となる。
【００４６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４７】
【図１】本発明に係る光ディスク装置の構成の一例を示すブロック図。
【図２】本発明に係る光ディスク装置の同期検出部の構成の一例を示すブロック図。
【図３】本発明に係る光ディスク装置の同期検出部のパターン一致回路の動作を示す真理値表の一例を示す図。
【図４】本発明に係る光ディスク装置の同期検出部のパターン一致回路の動作を示す真理値表の他の一例を示す図。
【図５】本発明に係る光ディスク装置が扱う高密度光ディスクのセクタの構造の一例を示す図。
【図６】本発明に係る光ディスク装置で用いられる同期コードの一例を示す図。
【図７】本発明に係る光ディスク装置で用いられる同期コードに含まれる最長パターンの波形が変形を受け異なるパターンとして認識される様子を示した図。
【図８】本発明に係る光ディスク装置が扱う高密度光ディスクにて、特に誤りやすいパターンの一例を示す図。
【図９】本発明に係る光ディスク装置が扱う高密度光ディスクにて、特に誤りやすいパターンの他の一例を示す図。
【図１０】本発明に係る光ディスク装置が扱う高密度光ディスクにて、特に誤りやすいパターンの他の一例を示す図。
【図１１】本発明に係る光ディスク装置の同期検出部の基準値の決定動作の一例を示すフローチャート。
【図１２】本発明に係る光ディスク装置の同期検出部の基準値の決定動作の一例を示すフローチャート。
【図１３】本発明に係る光ディスク装置の同期検出部の基準値の決定動作に用いられるコントロールデータ領域の情報を示す説明図。
【符号の説明】
【００４８】
１１…ＰＵＨ、１２…２値復号部、１３…符号反転位置検出部、１４…同期検出部、１５…ＥＴＭ復調部、１６…ＥＣＣ処理部、１７…ＭＰＥＧエンコーダ・デコーダ、１８…インタフェース部、１９…変調部、２０…基準データ、２１…サーボ制御部、２２…ＲＯＭ、２３…ＲＡＭ、２４…システム制御部。
【図１】
2005149673.tif 000003
【図２】
2005149673.tif 000004
【図３】
2005149673.tif 000005
【図４】
2005149673.tif 000006
【図５】
2005149673.tif 000007
【図６】
2005149673.tif 000008
【図７】
2005149673.tif 000009
【図８】
2005149673.tif 000010
【図９】
2005149673.tif 000011
【図１０】
2005149673.tif 000012
【図１１】
2005149673.tif 000013
【図１２】
2005149673.tif 000014
【図１３】
2005149673.tif 000015